(57)【要約】【課題】計測器を内蔵しそのデータを外部に逐次無線転送して記録させ、監視することにより重大なシステム損傷を未然に回避することを目的とする。【解決手段】被測定対象となる回路１０ａ、回路において測定したデータを出力する測定器１０ｂ、測定器から出力されたデータを与えられて送信し外部から送信されてきたデータを受信するデータ送受信器１０ｄを有する測定器内蔵回路１０と、測定器により測定されデータ送受信器１０ｄから送信されたデータを受信するデータ送受信器２０ａ、このデータ送受信器により受信されたデータを与えられて解析する解析部２０ｃとを有するシステム制御回路２０と、データ送受信器１０ｄから送信されたデータを与えられて出力するデータ送受信器３０ａ、このデータ送受信器から出力されたデータを与えられて保持する記憶部３０ｂとを有するデータ保存回路３０とを備える。【選択図】図１
2009099898.tif 000002
【特許請求の範囲】
【請求項１】
被測定対象となる回路と、前記回路において測定したデータを出力する測定器と、前記測定器から出力されたデータを与えられて送信し、外部から送信されてきたデータを受信する第１のデータ送受信器とを有する第１の回路と、
前記測定器により測定され、前記第１のデータ送受信器から送信されたデータを受信する第２のデータ送受信器と、前記第２のデータ送受信器により受信されたデータを与えられて解析する解析部とを有する第２の回路と、
前記第１のデータ送受信器から送信されたデータを与えられて出力する第３のデータ送受信器と、前記第３のデータ送受信器から出力されたデータを与えられて保持する記憶部とを有する第３の回路と、
を備えることを特徴とする監視システム。
【請求項２】
前記第１の回路は、前記測定器から出力されたデータを与えられて暗号化して出力する暗号器をさらに有し、前記第１のデータ送受信器は、前記暗号器から出力されたデータを、前記第３の回路に無線にて送信することを特徴とする請求項１記載の監視システム。
【請求項３】
前記第３の記憶部に記憶され、前記第３のデータ送受信器から送信されたデータを与えられて受信する第４の受信器と、前記第４の受信器により受信されたデータを転送するデータ転送部とを有する第４の回路をさらに備えることを特徴とする請求項１記載の監視システム。
【請求項４】
前記第１の回路は、前記測定器から出力されたデータを与えられて暗号化して出力する暗号器をさらに有し、前記第１のデータ送受信器は前記暗号器から出力されたデータを送信し、
前記第４の回路は、前記第４の受信器により受信されたデータを与えられて復号化する復号器をさらに有し、前記転送部は前記復号器により復号化されたデータを与えられて転送することを特徴とする請求項３記載の監視システム。
【請求項５】
前記測定器は、前記回路における電源電圧、電源電流、温度、所定ノードにおける論理レベルの少なくともいずれか一つを測定して出力することを特徴とする請求項１乃至４のいずれか一に記載の監視システム。
【発明の詳細な説明】
【技術分野】
【０００１】
本発明は監視システムに係わり、特に被測定対象物としての回路の動作状態を監視するシステムとして好適なものに関する。
【背景技術】
【０００２】
例えば、車載用のマイクロコンピュータ等の集積回路において、特性不良、あるいは高温等が原因で暴走したり、ソフトウェアにより動作不具合が発生した場合等において、その集積回路により動作しているシステム全体に損傷を与え重大な事故を引き起こす可能性がある。
【０００３】
このような場合に、再現実験等による検証は困難であり、原因の特定に支障をきたすことがあった。
【０００４】
従来の監視システムを開示した文献名を以下に記載する。
【特許文献１】特開２００５−２３６１９９号公報
【発明の開示】
【発明が解決しようとする課題】
【０００５】
本発明は、動作不具合が発生した場合に、その原因を容易に特定すると共に、不具合の解析に必要なデータを保護することが可能な監視システムを提供することを目的とする。
【課題を解決するための手段】
【０００６】
本発明の一態様による監視システムは、被測定対象となる回路と、前記回路において測定したデータを出力する測定器と、前記測定器から出力されたデータを与えられて送信し、外部から送信されてきたデータを受信する第１のデータ送受信器とを有する第１の回路と、前記測定器により測定され、前記第１のデータ送受信器から送信されたデータを受信する第２のデータ送受信器と、前記第２のデータ送受信器により受信されたデータを与えられて解析する解析部とを有する第２の回路と、前記第１のデータ送受信器から送信されたデータを与えられて出力する第３のデータ送受信器と、前記第３のデータ送受信器から出力されたデータを与えられて保持する記憶部とを有する第３の回路とを備えることを特徴とする。
【発明の効果】
【０００７】
本発明の監視システムによれば、動作不具合が発生した場合にその原因を容易に特定すると共に、不具合の解析に必要なデータを保護することが可能である。
【発明を実施するための最良の形態】
【０００８】
以下、本発明の実施の形態について図面を参照して説明する。
【０００９】
図１に、本実施の形態による監視システムの構成を示す。
【００１０】
この監視システムは、測定器内蔵回路１０、システム制御回路２０、データ保存回路３０とを備える。
【００１１】
このうち、測定器内蔵回路１０とシステム制御回路２０とが同一配線基板上、あるいは異なる配線基板上に搭載されて同一筐体内に収納され、データ保存回路３０は筐体の内部又は外部に配置されている。
【００１２】
さらに、データ読出回路４０が監視システムの外部に配置されている。監視システムがデータ読出回路４０を常時備えている必要はなく、データの読み出しが必要な時に配置されればよい。尚、後述するデータ送受信器は無線によりデータの送受信を行うものとする。
【００１３】
測定器内蔵回路１０は、システム全体の動作を制御するためのマイクロコンピュータ等の所定の機能を有する回路１０ａを被測定対象物として有する。さらに測定器内蔵回路１０は、回路１０ａのデータを測定する測定器１０ｂ、測定器１０ｂから出力されたデータを暗号化し、あるいは後述のデータ送受信器１０ｄが受信したデータを与えられて復号化する暗号・復号器１０ｃ、暗号・復号器１０ｃから出力されたデータを送信するデータ送受信器１０ｄを備える。
【００１４】
ここで測定器１０ｂは、内蔵するタイマに同期したタイミング、あるいはソフトウェアにより指示されたタイミングで、回路１０ａにおける例えば電源電圧、電源電流、動作周波数、温度、所定のノードにおける論理レベル等の測定を行う。また、測定データには、測定時の時間情報も含まれる。
【００１５】
システム制御回路２０は、データ送受信器２０ａ、暗号・復号器２０ｂ、データ解析システム制御回路２０ｃを備える。
【００１６】
データ送受信器２０ａは、測定器内蔵回路１０のデータ送受信器１０ｄ、あるいは後述するデータ保存回路３０のデータ送受信器３０ａから送信されたデータを受信し、あるいは後述する暗号・復号器２０ｂから出力されたデータを送信する。
【００１７】
暗号・復号器２０ｂは、データ送受信器２０ａにより受信されたデータを復号化し、あるいは後述するデータ解析システム制御回路２０ｃから出力されたデータを暗号化する。
【００１８】
データ解析システム制御回路２０ｃは、暗号・復号器２０ｂから出力されたデータを与えられて解析を行う。その解析結果に基づいて、システム全体の動作を制御するために必要な制御信号を生成し、測定器内蔵回路１０、あるいは図示されていない他のシステムを制御する回路へ出力する。例えば、測定器内蔵回路１０における回路１０ａ等の電源電圧、電源電流、動作周波数を制御したり、あるいは回路１０ａ等を動作させるソフトウェアに対し必要な制御動作を加えたり、回路１０ａ等が動作する上で必要なデータのバックアップの切替制御等を行う。
【００１９】
データ保存回路３０は、データ送受信器３０ａ、データ保存メモリ３０ｂを備える。
【００２０】
データ送受信器３０ａは、測定器内蔵回路１０のデータ送受信器１０ｄ、システム制御回路２０のデータ送受信器２０ａとの間でデータの送受信を行う。
【００２１】
データ保存メモリ３０ｂは、データ送受信器３０ａから与えられたデータを格納する。ここで、データ保存メモリ３０ｂは電気的な書き込み／消去が可能な不揮発性記憶装置で構成されている。
【００２２】
ここで、データ保存回路３０は、データ送受信器３０ａが無線転送されてきたデータを受信する際に電波により電源を供給されて動作するものであってもよい。この場合は、電源への接続が不要となる。即ち、電波の到達範囲内においてデータ保存回路３０の設置場所の自由度が高い。このため、測定器内蔵回路１０が物理的に大きな損傷を受けたような場合であっても、回路１０ａの測定データを、物理的な損傷を受けないような場所の複数箇所に設けられたデータ保存回路３０によりデータの記録・保護を行い、後に不具合発生時の動作状態の把握可能が可能となる。
【００２３】
データ読出回路４０は、データ送受信器４０ａ、暗号・復号器４０ｂ、データ転送部４０ｃを備え、データ保存回路３０に保存されたデータを必要な時に読み出すものである。
【００２４】
データ送受信器４０ａは、データ保存回路３０のデータ送受信器３０ａとの間でデータの送受信を行う。
【００２５】
暗号・復号器４０ｂは、データ送受信器４０ａにより受信されたデータを与えられて復号化し出力する。
【００２６】
データ転送部４０ｃは、復号化されたデータを与えられて、例えば外部接続された図示されていないコンピュータ等から成るデータ解析機器に転送する。ここで、データ読出回路４０とデータ解析機器との外部接続は常時行う必要は必ずしもなく、データ解析機器へデータを転送して解析する場合等、必要な時にのみ行うことができる。
【００２７】
このような本実施の形態による監視システムの配置の一例を図２に示す。
【００２８】
この監視システムは、筐体内部に配置され、同一配線基板あるいは異なる配線基板上に搭載された測定器内蔵回路１０とシステム制御回路２０と、ここではこの筐体外部に配置されたデータ保存回路３０−１〜３０−７とを備えている。
【００２９】
監視システムの外部には、データ読出回路４０と、データ解析機器５０とが配置されている。
【００３０】
監視システム内の筐体内において、測定器内蔵回路１０に測定対象となる回路１０ａと、測定器１０ｂの一例として、電源電圧ＶDD１を有する電源からの電流を測定する電流測定器１０ｂ−１、この電源電圧ＶDD１を測定する電圧測定器１０ｂ−２、電源電圧ＶDD２を有する電源からの電流を測定する電流測定器１０ｂ−３、電源電圧ＶDD２を測定する電圧測定器１０ｂ−ｃ４、温度測定を行う温度測定器１０ｂ−５、１０ｂ−６、回路１０ａ内の所定のノードの論理レベルを測定する論理レベル測定器１０ｂ−７を備える。ここで、論理レベル測定器１０ｂ−７は、回路１０ａに予めハードウェアにより実装しておく必要がある。尚、図２では暗号・復号器１０ｃ、データ送受信器１０ｄは表示されていない。
【００３１】
筐体外部に、データ保存回路３０−１〜３０−７が配置されており、測定器１０ｂ−１〜１０ｂ−７が測定したデータ、あるいはシステム制御回路２０との間でデータを送受信し、データを保存する。
【００３２】
システム外部に必要な時に設けられるデータ読出回路４０は、データ保存回路３０−１〜３０−７に保存されたデータを随時読み出す。読み出されたデータは、外部接続されたデータ解析機器５０に転送されて解析される。
【００３３】
上述した本実施の形態の監視システムによれば、被測定対象である回路１０ａの測定データを外部のデータ保存回路３０に逐次無線転送してデータ保存メモリ３０ｂに記録させ、記録したデータを必要に応じてデータ読出回路４０により読み出して監視を行う。これにより、回路１０ａの動作不具合が原因となってシステムに重大な損傷が与えられることを未然に回避したり、動作不具合の解析に有用なデータを外部に待避させて保護することができる。
【００３４】
上述した実施の形態は一例であって本発明を限定するものではなく、本発明の技術的範囲内において様々に変形することが可能である。
【図面の簡単な説明】
【００３５】
【図１】本発明の一実施の形態による監視システムの構成を示すブロック図。
【図２】同監視システムの配置の一例を示した説明図。
【符号の説明】
【００３６】
１０  測定器内蔵回路
１０ａ  回路
１０ｂ  測定器
１０ｃ、２０ｂ、４０ｂ  暗号・復号器
１０ｄ、２０ａ、３０ａ、４０ａ  データ送受信器
２０  システム制御回路
２０ｃ  データ解析システム制御回路
３０  データ保存回路
３０ｂ  データ保存メモリ
４０  データ読出回路
４０ｃ  データ転送部
【図１】
2009099898.tif 000003
【図２】
2009099898.tif 000004